(57)【要約】      （修正有）【課題】書籍やＣＤ類の配送用封筒にあって、収容物を毀損する恐れが少なく、又、外部から中身が見えない形状の封筒状梱包袋を提供する。【解決手段】上下に連成した表面部２と裏面部３とを折線４から折り返して重合し、表面部２の左右に連成した貼着片５を折線６から折り返して裏面部３に貼着することにより上部を梱包物出入口７とする袋本体８とする。該袋本体８の表面部２の上部に封止フラップ９を連成する。表面部２と裏面部３の周縁及び封止フラップ９の基部側に、収容する梱包物の厚味及び大きさに対応して箱形に変形させるための折線１０を形成する。前記表面部２の左右に連成し、裏面部３に貼着した貼着片５の夫々を、上側５Ａにおいては梱包物出入口７より上方に延出せしめる一方、下側５Ｂにおいては裏面部３の下端縁に達するまで延設せしめる。更に、裏面部３における上部中央に、袋本体８の幅方向に沿った折線１１を上下方向に所定の間隔で複数形成した舌状固定片１２を延設する。【選択図】図１
0003163822.tif 000002
【実用新案登録請求の範囲】
【請求項１】
全体を紙をもって構成し、上下に連成した表面部と裏面部とを折り返して重合し、表面部の左右に連成した貼着片を折り返して裏面部に貼着することにより上部を梱包物出入口とする袋本体となすと共に該袋本体の表面部の上部に封止フラップを連成し、更に表面部と裏面部の周縁及び封止フラップの基部側に、収容する梱包物の厚味及び大きさに対応して箱形に変形させるための折線を形成してなる封筒状梱包袋において、前記表面部の左右に連成し、裏面部に貼着した貼着片の夫々を、上側においては梱包物出入口より上方に延出せしめる一方、下側においては裏面部の下端縁に達するまで延設せしめたことを特徴とする封筒状梱包袋。
【請求項２】
裏面部における上部中央に、袋本体の幅方向に沿った折線を上下方向に所定の間隔で複数形成した舌状固定片を延設してなる請求項１記載の封筒状梱包袋。
【請求項３】
紙が、段ボールの中芯の両側に夫々クラフト紙を貼着してなる緩衝紙である請求項１又は２記載の封筒状梱包袋。
【考案の詳細な説明】
【技術分野】
【０００１】  本考案は、書籍やＣＤ、ＦＤ等を配送するときに使用する封筒状梱包袋に関するものである。
【背景技術】
【０００２】  書籍やＣＤ、ＦＤ等を配送するときに使用する封筒状梱包袋としては、従来においては図８に示す如きものが一般的である。【０００３】  そして、図８に示した従来の封筒状梱包袋１００は、全体を紙をもって構成し、上下に連成した表面部１０１と裏面部１０２とを折線１０３から折り返して重合し、表面部１０１の左右に連成した貼着片１０４，１０４を折線１０５，１０５から折り返して裏面部１０２に貼着することにより上部を梱包物出入口１０６とする袋本体１０７となすと共に該袋本体１０７の表面部１０１の上部に封止フラップ１０８を連成し、更に表面部１０１と裏面部１０２の周縁及び封止フラップ１０８の基部側に、収容する梱包物の厚味及び大きさに対応して箱形に変形させるための折線１０９，１０９，１０９・・・を形成してなるものである。【０００４】  ところで、斯かる従来の封筒状梱包袋１００には、その使用上においていくつかの問題点がある。【０００５】  先ず、第１の問題点は、配送すべきものを梱包した状態において、袋本体１０７における上下、左右の角部（矢印部分）が強度的に弱いという点である。これは、貼着片１０４，１０４の夫々が台形状であり、その上下の端部が裏面部１０２の上下の端部の全体を被覆するようになっていないためである。このため、配送中に何らかの衝撃が加わると簡単に歪みを生じ、梱包した内部の収容物を毀損する虞があるという点である。【０００６】  次に、第２の問題点は、配送すべきものを梱包した状態において、袋本体１０７の上部と封止フラップ１０８との間の隙間から梱包した内部の収容物が見えてしまう点である。
配送すべき内容物は極力外部から見えないようにすることが望ましく、この点の改善が望まれている。【０００７】  次に、第３の問題点は、配送すべきものを梱包した状態において、配送中に内部の収容物が袋本体１０７内で遊ぶ状態となり、内部の収容物を毀損する虞があるという点である。【０００８】  次に、第４の問題点は、袋全体が単に一枚の厚紙からなるものであるから緩衝性がなく、外部からの衝撃がそのまま内部の収容物に伝わってしまうという点である。また、破れ易いという問題点もある。
【考案の概要】
【考案が解決しようとする課題】
【０００９】  本考案は上記の点に鑑みなされたものであって、袋本体における上下、左右の角部を補強すると共に、内部の収容物を外部から見えないようになし、更に内部の収容物の袋内での遊びを抑制すると共に、袋全体に緩衝性を持たせ、もって上記従来品の問題点を悉く解消することができるようになした封筒状梱包袋を提供しようとするものである。
【課題を解決するための手段】
【００１０】  而して、本考案の要旨とするところは、全体を紙をもって構成し、上下に連成した表面部と裏面部とを折り返して重合し、表面部の左右に連成した貼着片を折り返して裏面部に貼着することにより上部を梱包物出入口とする袋本体となすと共に該袋本体の表面部の上部に封止フラップを連成し、更に表面部と裏面部の周縁及び封止フラップの基部側に、収容する梱包物の厚味及び大きさに対応して箱形に変形させるための折線を形成してなる封筒状梱包袋において、前記表面部の左右に連成し、裏面部に貼着した貼着片の夫々を、上側においては梱包物出入口より上方に延出せしめる一方、下側においては裏面部の下端縁に達するまで延設せしめたことを特徴とする封筒状梱包袋にある。【００１１】  また、上記構成において、裏面部における上部中央に、袋本体の幅方向に沿った折線を上下方向に所定の間隔で複数形成した舌状固定片を延設するようになしてもよい。【００１２】  また、上記構成において、紙として、段ボールの中芯の両側に夫々クラフト紙を貼着してなる緩衝紙を用いるようにしてもよい。
【考案の効果】
【００１３】  本考案は、上記の如く、表面部の左右に連成し、裏面部に貼着した貼着片の夫々を、上側においては梱包物出入口より上方に延出せしめる一方、下側においては裏面部の下端縁に達するまで延設せしめたものであり、表面部の左右に連成した貼着片の夫々は、その上下において裏面部の上下の端部の全体を被覆し、この状態において重合、貼着されるから、袋の上下、左右の角部は全て強度が著しく高められる。【００１４】  また、表面部の左右に連成し、裏面部に貼着した貼着片の夫々は、上側においては梱包物出入口より上方に延出せしめているから、この延出している部分が遮蔽体となり、従来の如き袋本体の上部と封止フラップとの間の隙間から内部の収容物が見えてしまうという問題点を解消することができるものである。【００１５】  また、裏面部における上部中央に、袋本体の幅方向に沿った折線を上下方向に所定の間隔で複数形成した舌状固定片を延設した場合には、該舌状固定片をもって内部の収容物の上端部を巻き込むようにして固定することができる。したがって、内部の収容物の袋本体内での遊びを抑制することができるものである。【００１６】  また、紙として、段ボールの中芯の両側に夫々クラフト紙を貼着してなる緩衝紙を用いた場合には、袋全体が高い緩衝性を持ち、外部からの衝撃がそのまま内部の収容物に伝わってしまうことを防ぐことができる。加えて破れにくくすることもできるものである。尚、従来において緩衝性を付与するために、紙の内面に樹脂製のクッション材を貼付したものを用いたものもあったが、斯かる場合には紙と樹脂製のクッション材とを分別する手間がかかって処理に困るが、本考案はこのような手間がかからないものである。
【図面の簡単な説明】
【００１７】
【図１】本考案の実施形態に係る封筒状梱包袋の裏面側から看た斜視図である。
【図２】同裏面側から看た正面図図である。
【図３】図２中Ａ部分の拡大断面図である。
【図４】同下側部分の斜視図である。
【図５】同使用状態の上側部分の斜視図であり、舌状固定片で収容物を固定した状態を示すものである。
【図６】同使用状態の上側部分の斜視図であり、封止フラップで封止した状態を示すものである。
【図７】底部を船底形の襠にした封筒状梱包袋における下側部分の斜視図である。
【図８】従来の封筒状梱包袋の裏面側から看た正面図である。
【考案を実施するための形態】
【００１８】    以下、本考案を実施するための形態について、図面を参照して説明する。
【００１９】  図中、１は封筒状梱包袋である。また、該封筒状梱包袋１は、全体を紙をもって構成し、上下に連成した表面部２と裏面部３とを折線４から折り返して重合し、表面部２の左右に連成した貼着片５，５を折線６，６から折り返して裏面部３に貼着することにより上部を梱包物出入口７とする袋本体８となすと共に該袋本体８の表面部２の上部に封止フラップ９を連成し、更に表面部２と裏面部３の周縁及び封止フラップ９の基部側に、収容する梱包物の厚味及び大きさに対応して箱形に変形させるための折線１０，１０，１０・・・を形成してなるものであるであることは、従来の封筒状梱包袋と同様である。
【００２０】  而して、本実施形態は、前記表面部２の左右に連成し、裏面部３に貼着した貼着片５，５の夫々を、上側５Ａにおいては梱包物出入口７より上方に延出せしめる一方、下側５Ｂにおいては裏面部３の下端縁に達するまで延設せしめたことを特徴とするものである。尚、上側５Ａの延出部分は、本実施形態においては円弧状にカットしている。また、該上側の延出部分には、袋本体８の幅方向に沿った折線１０´１０´を上下方向に所定の間隔で形成している。
【００２１】  このように、表面部２の左右に連成した貼着片５，５の夫々は、その上下５Ａ，５Ｂにおいて裏面部３の上下の端部の全体を被覆し、この状態において重合、貼着されるから、袋の上下、左右の角部は全て強度が著しく高められるものである。
【００２２】  また、表面部２の左右に連成し、裏面部３に貼着した貼着片５，５の夫々は、上側５Ａにおいては梱包物出入口７より上方に延出せしめているから、図６に示す如く、この延出している部分５Ａが遮蔽体となり、従来の如き袋本体８の上部と封止フラップ９との間の隙間から内部の収容物が見えてしまうという問題点を解消することができるものである。
【００２３】  また、本実施形態においては、裏面部３における上部中央に、袋本体８の幅方向に沿った折線１１，１１，１１・・・を上下方向に所定の間隔で複数形成した舌状固定片１２を延設している。これにより、図５に示す如く、該舌状固定片１２をもって内部の収容物Ｓの上端部を巻き込むようにして固定することができる。したがって、内部の収容物の袋本体内での遊びを抑制することができるものである。
【００２４】  また、本実施形態においては、紙として、図３に示す如く、段ボールの中芯Ｐ１の両側に夫々クラフト紙Ｐ２、Ｐ３を貼着してなる緩衝紙Ｐを用いている。尚、段ボールの中芯Ｐ１は７０ｇ、クラフト紙Ｐ２は７０ｇ、クラフト紙Ｐ３は５０ｇのものを夫々用いている。したがって、袋全体が高い緩衝性を持ち、外部からの衝撃がそのまま内部の収容物に伝わってしまうことを防ぐことができるものである。加えて破れにくくすることもできるものである。
【００２５】  また、本考案に係る封筒状梱包袋は、図７に示した如き、底部を船底形の襠にしたものも含まれるものである。尚、この場合にもその他の構成は上記と同様であるから、同一の部材には同一の符号を付して詳細な説明は省略する。
【符号の説明】
【００２６】  １  封筒状梱包袋
２  表面部
３  裏面部
５，５  貼着片
７  梱包物出入口
８  袋本体
９  封止フラップ
１０，１０  折線
１２  舌状固定片
【図１】
0003163822.tif 000003
【図２】
0003163822.tif 000004
【図３】
0003163822.tif 000005
【図４】
0003163822.tif 000006
【図５】
0003163822.tif 000007
【図６】
0003163822.tif 000008
【図７】
0003163822.tif 000009
【図８】
0003163822.tif 000010